(57)【要約】【課題】複数の可動部材を動作する。【解決手段】可動演出装置４０は、凹凸が形成された当接面５２ａを有し、作動モータにより作動される作動部材５０と、当接面５２ａに対して進退移動可能に配設されると共に該当接面５２ａに向けて付勢され、該作動部材５０の作動に伴う当接面５２ａの移動経路に並んだ複数の可動部材６０と、該可動部材６０の夫々に設けられ、当接面５２ａとの当接により該当接面５２ａの凹凸に追従して該可動部材を進退移動させる当接部６２とを備えている。【選択図】図５
2015008970.tif 000002
【特許請求の範囲】
【請求項１】
遊技球が流下可能な遊技領域が前面に設けられた遊技盤と、動作による演出を行う可動演出装置とを備えた遊技機において、
前記可動演出装置は、
凹凸が形成された当接面を有し、駆動手段により作動される作動部材と、
前記作動部材の作動方向と交差する方向に進退移動可能に配設されると共に前記当接面に向けて付勢され、該作動部材の作動に伴う当接面の移動経路に並んだ複数の可動部材と、
前記可動部材の夫々に設けられ、前記当接面との当接により該当接面の凹凸に追従して該可動部材を進退移動させる当接部とを備えた
ことを特徴とする遊技機。
【請求項２】
前記作動部材は、ベース体に往復移動可能に配設され、
前記複数の可動部材は、前記ベース体に支持されると共に、該ベース体の前側と後側とに振り分けて配設され、
前記ベース体の前側に配設された可動部材の当接部が、前記作動部材におけるベース体の前側に臨む前部当接面に当接可能で、該ベース体の後側に配設された可動部材の当接部が、作動部材におけるベース体の後側に臨む後部当接面に当接可能に構成された請求項１記載の遊技機。
【請求項３】
前記ベース体には、該ベース体の後側に配設された可動部材の当接部に対して前記作動部材の作動方向に隣り合って、該ベース体の前側に配設された可動部材の当接部が配置される請求項２記載の遊技機。
【請求項４】
前記当接面には、前記可動部材が第１可動状態になるように前記当接部を支持する支持部と、この支持部より作動部材の作動方向と交差する方向に凹んで該可動部材が第２可動状態になるように該当接部を収容可能な収容部とが、前記複数の可動部材の夫々に対応して設けられ、
前記作動部材を第１位置にした際に、前記当接面の支持部に当接部が支持される可動部材と、該当接面の収容部に当接部が位置する可動部材とを有し、
前記作動部材を第２位置にした際に、該作動部材の第１位置で当接部が支持部に位置していた可動部材が収容部に位置すると共に、該作動部材の第１位置で当接部が収容部に位置していた可動部材が支持部に位置するように切り替わる構成とした請求項１〜３の何れか一項に記載の遊技機。
【請求項５】
前記当接面には、前記可動部材が第１可動状態になるように前記当接部を支持する支持部と、この支持部より作動部材の作動方向と交差する方向に凹んで該可動部材が第２可動状態になるように該当接部を収容可能な収容部とが、前記複数の可動部材の夫々に対応して設けられ、
前記当接部が前記支持部により前記作動部材の作動方向と交差する方向に互いに異なる位置で支持された可動部材を有する請求項１〜４の何れか一項に記載の遊技機。
【請求項６】
記可動部材は、該可動部材に設けられた支持軸部が前記ベース体に設けられたガイド部に案内されて前記当接面の凹凸に追従する当接部により該作動部材の作動方向と交差する方向に移動するよう構成され、
前記支持軸部は、前記ガイド部に前記作動部材の作動方向に隙間をあけて遊嵌された請求項１〜５の何れか一項に記載の遊技機。
【発明の詳細な説明】
【技術分野】
【０００１】
この発明は、動作により演出を行う可動演出装置を備えた遊技機に関するものである。
【背景技術】
【０００２】
代表的な遊技機であるパチンコ機は、遊技盤の盤面に画成した遊技領域の略中央位置に枠状の装飾部材(所謂センター役物)が配設されており、この装飾部材の開口部を介して複数の図柄を変動表示する液晶式やドラム式等の図柄表示装置を後方から臨ませると共に、該遊技盤における装飾部材の下方位置に、パチンコ球(遊技球)の入賞により図柄表示装置での図柄変動を開始させる始動入賞装置や大当り時等に開放する特別入賞装置を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、前記図柄表示装置で図柄変動に伴うリーチ演出等の各種の遊技演出がなされ、該図柄表示装置に図柄が所定の組み合わせで停止することにより所謂大当りが発生し、遊技盤に設けられた特別入賞装置が開放して多数の賞球を獲得し得るよう構成される。また、パチンコ機では、所要の動作を行う可動体を備えた可動演出装置を枠状装飾部材に配設し、該可動体を図柄表示装置で行われる遊技演出に合わせて動作させることにより、視覚的な演出効果を向上させて遊技の興趣を高めている(例えば、特許文献１参照)。
【先行技術文献】
【特許文献】
【０００３】
【特許文献１】特開２００１−１３７４６１号公報
【発明の概要】
【発明が解決しようとする課題】
【０００４】
ところで、近年では前記遊技盤に配設される図柄表示装置を大型化したり、該遊技盤に発光演出装置等の各種演出装置を配設することで、遊技演出を多様化して演出効果を向上することが一般的になっており、可動演出装置を配置可能なスペースが狭くなる傾向にある。すなわち、特許文献１のように、複数の可動体の夫々に対応して駆動モータを設けるスペースを確保することは難しい。
【０００５】
すなわち本発明は、従来の技術に係る遊技機に内在する前記問題に鑑み、これらを好適に解決するべく提案されたものであって、単一の駆動手段により複数の可動部材を動作させ得る可動演出装置を備えた遊技機を提供することを目的とする。
【課題を解決するための手段】
【０００６】
前記課題を克服し、所期の目的を達成するため、本願の請求項１に係る発明の遊技機は、
遊技球が流下可能な遊技領域(20a)が前面に設けられた遊技盤(20)と、動作による演出を行う可動演出装置(40)とを備えた遊技機において、
前記可動演出装置(40)は、
凹凸が形成された当接面(52a,53a)を有し、駆動手段(M)により作動される作動部材(50)と、
前記作動部材(50)の作動方向と交差する方向に進退移動可能に配設されると共に前記当接面(52a,53a)に向けて付勢され、該作動部材(50)の作動に伴う当接面(52a,53a)の移動経路に並んだ複数の可動部材(60)と、
前記可動部材(60)の夫々に設けられ、前記当接面(52a,53a)との当接により該当接面(52a,53a)の凹凸に追従して該可動部材(60)を進退移動させる当接部(62)とを備えたことを要旨とする。
請求項１に係る発明によれば、駆動手段で作動部材を作動することで、作動部材における当接面の凹凸に追従する当接部により、可動部材を作動部材の作動方向と交差する方向に進退移動させることができる。すなわち、複数の可動部材を、駆動手段で作動する作動部材の当接面と当接部との当接による簡単な構成で進退移動させることができる。
【０００７】
請求項２に係る発明では、前記作動部材(50)は、ベース体(46)に往復移動可能に配設され、
前記複数の可動部材(60)は、前記ベース体(46)に支持されると共に、該ベース体(46)の前側と後側とに振り分けて配設され、
前記ベース体(46)の前側に配設された可動部材(60)の当接部(62)が、前記作動部材(50)におけるベース体(46)の前側に臨む前部当接面(52a)に当接可能で、該ベース体(46)の後側に配設された可動部材(60)の当接部(62)が、作動部材(50)におけるベース体(46)の後側に臨む後部当接面(53a)に当接可能に構成されたことを要旨とする。
請求項２に係る発明によれば、ベース体を前後に挟んで可動部材を振り分けて配設しているので、可動部材を前後にずらすことができ、可動部材を前後に重なるように大きく形成することができる。
【０００８】
請求項３に係る発明では、前記ベース体(46)には、該ベース体(46)の後側に配設された可動部材(60)の当接部(62)に対して前記作動部材(50)の作動方向に隣り合って、該ベース体(46)の前側に配設された可動部材(60)の当接部(62)が配置されることを要旨とする。
請求項３に係る発明によれば、ベース体の後側にある可動部材における作動部材の作動方向隣りには、ベース体の前側にある可動部材が配設されているから、隣り合う可動部材同士の干渉を防止することができる。
【０００９】
請求項４に係る発明では、前記当接面(52a,53a)には、前記可動部材(60)が第１可動状態になるように前記当接部(62)を支持する支持部(54)と、この支持部(54)より作動部材(50)の作動方向と交差する方向に凹んで該可動部材(60)が第２可動状態になるように該当接部(62)を収容可能な収容部(55)とが、前記複数の可動部材(60)の夫々に対応して設けられ、
前記作動部材(50)を第１位置にした際に、前記当接面(52a,53a)の支持部(54)に当接部(62)が支持される可動部材(60)と、該当接面(52a,53a)の収容部(55)に当接部(62)が位置する可動部材(60)とを有し、
前記作動部材(50)を第２位置にした際に、該作動部材(50)の第１位置で当接部(62)が支持部(54)に位置していた可動部材(60)が収容部(55)に位置すると共に、該作動部材(50)の第１位置で当接部(62)が収容部(55)に位置していた可動部材(60)が支持部(54)に位置するように切り替わる構成としたことを要旨とする。
請求項４に係る発明によれば、複数の可動部材をばらばらに動かすことができる。
【００１０】
請求項５に係る発明では、前記当接面(52a,53a)には、前記可動部材(60)が第１可動状態になるように前記当接部(62)を支持する支持部(54)と、この支持部(54)より作動部材(50)の作動方向と交差する方向に凹んで該可動部材(60)が第２可動状態になるように該当接部(62)を収容可能な収容部(55)とが、前記複数の可動部材(60)の夫々に対応して設けられ、
前記当接部(62)が前記支持部(54)により前記作動部材(50)の作動方向と交差する方向に互いに異なる位置で支持された可動部材(60)を有することを要旨とする。
請求項５に係る発明によれば、可動部材の動きを異ならせることができる。
【００１１】
請求項６に係る発明では、前記可動部材(60)は、該可動部材(60)に設けられた支持軸部(65)が前記ベース体(46)に設けられたガイド部(46c)に案内されて前記当接面(52a,53a)の凹凸に追従する当接部(62)により該作動部材(50)の作動方向と交差する方向に移動するよう構成され、
前記支持軸部(65)は、前記ガイド部(46c)に前記作動部材(50)の作動方向に隙間をあけて遊嵌されたことを要旨とする。
請求項６に係る発明によれば、当接面の凹凸に追従する当接部に伴う可動部材の進退移動につれて、可動部材を進退移動方向と交差する方向へ変位させることができる。
【発明の効果】
【００１２】
本発明に係る遊技機によれば、単一の駆動手段により複数の可動部材を動作させることができる。
【図面の簡単な説明】
【００１３】
【図１】本発明の好適な実施例に係るパチンコ機を示す正面図である。
【図２】実施例の遊技盤を示す正面図である。
【図３】図２のＡ−Ａ線で破断した要部断面図である。なお、図柄表示装置は取り外してある。
【図４】実施例の設置部材を示す正面図である。
【図５】実施例の可動演出装置を示す正面図である。
【図６】実施例の可動演出装置を後側から示す斜視図である。
【図７】実施例の可動演出装置を示す平面図である。
【図８】図５のＢ−Ｂ線断面図である。
【図９】実施例の可動演出装置を示す分解斜視図であって、前側から見ている。
【図１０】実施例の可動演出装置を示す分解斜視図であって、後側から見ている。
【図１１】実施例の可動演出装置を後ベース体を取り外した状態で示す斜視図あって、(ａ)は前側から見ており、(ｂ)は後側から見ている。
【図１２】実施例の可動演出装置を後ベース体および支持板を取り外して、支持軸部と支持開口との関係を示す説明図であって、(ａ)は正面視であり、(ｂ)は背面視である。
【図１３】可動部材、動作部材および作動部材の関係を前側から見た状態で示す説明図あり、(ａ)は作動部材が第１位置にある状態であり、(ｂ)は作動部材が第２位置にある状態である。
【図１４】可動部材、動作部材および作動部材の関係を後側から見た状態で示す説明図あり、(ａ)は作動部材が第１位置にある状態であり、(ｂ)は作動部材が第２位置にある状態である。
【発明を実施するための形態】
【００１４】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１５】
(パチンコ機)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、所定条件の成立(始動入賞口へのパチンコ球の入賞)を契機として図柄を変動表示させて図柄変動演出を行う図柄表示装置１７が着脱可能に配設されている。また、中枠１２の前面側には、遊技盤２０を透視保護するガラス板や透明な合成樹脂材により形成された透視保護板(図示せず)で前後に開口する窓口１３ａを覆うよう構成された装飾枠としての前枠１３が開閉可能に組み付けられると共に、該前枠１３の下方にパチンコ球を貯留する下球受け皿１５が開閉可能に組み付けられる。なお、実施例では、前枠１３の下部位置に、パチンコ球を貯留する上球受け皿１４が一体的に組み付けられており、前枠１３の開閉に合わせて上球受け皿１４も一体的に開閉するよう構成される。
【００１６】
前記中枠１２の右下方位置には、該中枠１２に配設された打球発射装置(図示せず)を作動する操作ハンドル１６が設けられている。操作ハンドル１６は、左回転方向に付勢されており、該操作ハンドル１６を右回転するよう遊技者が回動操作することで打球発射装置が作動されて、上球受け皿１４に貯留されたパチンコ球が遊技盤２０の遊技領域２０ａに向けて１球ずつ発射されるようになっている。ここで、操作ハンドル１６の回動量に応じて打球発射装置によるパチンコ球の打球力が強弱変化するよう構成されており、遊技者が操作ハンドル１６の回動量を調節することで、遊技領域２０ａへのパチンコ球の発射位置を任意に変更し得るようになっている。なお、実施例では、図柄表示装置１７としては、飾図の他に各種絵柄やキャラクタ等を表示可能な液晶パネルを収容ケースに収容した液晶表示装置が採用されているが、これに限られるものではなく、ドラム式の図柄表示装置やドットマトリックス式の図柄表示装置等の各種図柄を停止および変動表示可能な従来公知の各種の表示装置を採用し得る。また、上球受け皿１４は、前枠１３と別体に形成して中枠１２に対して開閉可能に組み付けるようにしてもよい。
【００１７】
(遊技盤２０)
図２に示すように、前記遊技盤２０は、ベニヤ材や合成樹脂材により形成された略矩形状の板部材であって、遊技盤２０の裏面側に、図柄表示装置１７が取り付けられた設置部材２２(図３および図４参照)が着脱可能に組み付けられている。遊技盤２０の前面には、略円形状に湾曲形成した案内レール２４が配設されており、該案内レール２４により画成される略円形の遊技領域２０ａに、中枠１２に配設された図示しない打球発射装置から発射されたパチンコ球が打ち出されることで遊技が行われるようになっている。また、遊技盤２０には、前後に貫通する装着口(図示せず)が適宜位置に開設されており、各装着口に対して各種の遊技盤設置部品(具体的には枠状装飾体２６、始動入賞装置３０,３５、特別入賞装置３２、普通入賞装置３６等)が前側から取り付けられると共に、遊技領域２０ａの最下部位置には、該遊技領域２０ａに打ち出されたパチンコ球を排出するアウト口２５が開設されている。なお、前記装着口の形成数は、遊技盤２０に取り付けられる各種遊技盤設置部品の個数や配設位置等により必要に応じて適宜変更される。
【００１８】
前記遊技盤２０には、図２に示すように、案内レール２４で囲まれた遊技領域２０ａの略中央で開口する装着口に、前後に開口する表示窓口２６ａが形成されたセンター役とも称される枠状装飾体２６が取り付けられ、該枠状装飾体２６の表示窓口２６ａを介して図柄表示装置１７の画像表示部１７ａが遊技盤２０の前面側に臨むよう構成されている。なお、遊技盤２０には、遊技領域２０ａ内に多数の遊技釘が設けられており、遊技領域２０ａを流下するパチンコ球が遊技釘に接触することで、流下方向が不規則に変化するよう構成されている。
【００１９】
(枠状装飾体)
前記枠状装飾体２６は、下縁部を除く全周に亘って遊技盤２０の前面から前方へ突出するよう形成されて、遊技領域２０ａと表示窓口２６ａとを区画するよう構成されており、遊技領域２０ａを流下するパチンコ球が枠状装飾体２６の表示窓口２６ａの内側に進入しないようになっている。すなわち、実施例の遊技領域２０ａは、枠状装飾体２６の左側に画成される第１球流下経路と、当該枠状装飾体２６の右側に画成される第２球流下経路とに区画されて、遊技盤２０の遊技領域２０ａに打ち出されるパチンコ球の位置や発射強度に応じて、該第１球流下経路または第２球流下経路をパチンコ球が流下するようになっている。枠状装飾体２６の下部(開口下縁部)には、図２に示すように、パチンコ球が左右に転動可能なステージ２７が設けられている。また、枠状装飾体２６におけるステージ２７の後端部には、表示窓口２６ａの内側へ延出する透明な規制壁２８が設けられており、該ステージ２７上を転動するパチンコ球が後方(遊技盤２０の裏側)へ移動するのを防止している。なお、図２は、透明な規制壁２８を介して後側の可動演出装置４０が現れた状態にある。
【００２０】
図２に示すように、遊技盤２０には、枠状装飾体２６の下方位置に第１始動入賞装置３０が配設され、遊技領域２０ａの左右方向中央部に開口する第１始動入賞口３０ａに遊技領域２０ａを流下するパチンコ球が入賞することで、図柄表示装置１７での図柄変動を開始したり、所定数の賞球の払い出しなどが行われる。また、遊技盤２０には、始動入賞装置３０の右上位置に特別入賞装置３２が配設され、該特別入賞装置３２には遊技領域２０ａに臨むように特別入賞口３２ａが設けられている。特別入賞装置３２は、大当り時などの所定の遊技状態において、特別入賞口３２ａを塞ぐ開閉扉３３を開放変位して、特別入賞口３２ａを開放するようになっている。そして、遊技領域２０ａを流下するパチンコ球が特別入賞口３２ａに入賞することで、所定数の賞球の払い出しなどが行われる。また、遊技盤２０には、特別入賞口３２ａの上側位置に、パチンコ球が通過可能なゲート３４が配設され、遊技領域２０ａを流下するパチンコ球がゲート３４を通過することを契機として、第１始動入賞装置の右側位置に配置された第２始動入賞装置３５の始動入賞口(図示せず)に配設された開閉部材(図示せず)を開放するなどが行われる。更に、遊技盤２０には、遊技領域２０ａの左側下部に普通入賞装置３６が配設され、遊技領域２０ａに開口する普通入賞口に該遊技領域２０を流下するパチンコ球が入賞することで、所定数の賞球の払い出しなどが行われるようになっている。
【００２１】
(設置部材)
図３に示すように、前記設置部材２２は、略矩形状の背面板２３ａと、該背面板２３ａの外周縁部から前方に突出する画壁部２３ｂとから前方に開口した箱状に形成されて、該画壁部２３ｂの開口前端部を遊技盤２０の裏面に当接させた状態で、当該遊技盤２０と設置部材２２とがネジにより固定される。そして、設置部材２２において遊技盤２０との間に画成される空間に、可動演出装置４０などの各種装置が設置されて、設置部材２２を基材とする１つのユニットとして扱い得るようになっている。また、設置部材２２の背面板２３ａには、枠状装飾体２６の表示窓口２６ａと前後に整列する位置に、略矩形状の開口部２２ａが前後に開口するよう開設されると共に、該背面板２３ａの裏側に図柄表示装置１７が着脱自在に取付けられて、該開口部２２ａを介して図柄表示装置１７の画像表示部１７ａが遊技盤２０の前側に臨むようになっている。
【００２２】
(可動演出装置)
図４に示すように、設置部材２２における開口部２２ａの下側には、可動演出装置４０が背面板２３ａの前面に取り付けられている。可動演出装置４０は、枠状装飾体２６の表示窓口２６ａの内側に臨み、該表示窓口２６ａに臨む図柄表示装置１７の画像表示部１７ａの下側に配置される(図３参照)。可動演出装置４０は、枠状装飾体２６の下縁部に形成されたステージ２７の後側に立設された規制壁２８の後側に重なる部分とこの規制壁２８の上縁から上方へ延出する部分とを有し、規制壁２８の後側に重なる部分も透明な規制壁２８を介して前側から視認可能になっている。可動演出装置４０は、前側から視認可能な部分に、可動部材６０および動作部材７０を備えており、遊技演出に応じて、可動部材６０および動作部材７０により所定の動作演出を行うようになっている。ここで、パチンコ機１０で実行される遊技演出とは、図柄表示装置１７の画像表示部１７ａにおいての各種図柄が変動する図柄変動演出、リーチ演出、リーチ予告演出、大当り演出等の表示による演出、スピーカからの音声出力による演出、光を照射し得る装置による光による演出などを指す。なお、パチンコ機１０で実行される遊技演出は、パチンコ機１０の外側に現れない内部的であっても、パチンコ機１０の外側に現れる外部的であっても何れであってもよい。
【００２３】
図５および図６に示すように、前記可動演出装置４０は、設置部材２２の背面板２３ａの前側に配設されるベース部材４２と、このベース部材４２に配設された作動機構Ｍ,４８,５０と、この作動機構Ｍ,４８,５０により所定の動作を行う可動部材６０および動作部材７０とを備えている。可動演出装置４０のベース部材４２と背面板２３ａとの間は、該ベース部材４２の後面から後方へ突出するように設置される作動機構の後述する作動モータ(駆動手段)Ｍや別の可動演出装置３７,３８が配設されるスペースとなっている(図３参照)。可動演出装置４０は、所定の移動方向(実施例では上下方向)に動作する可動部材６０に対し、動作部材７０が該可動部材６０の移動方向と交差する方向(実施例では左右方向)に動作するようになっている。可動演出装置４０には、遊技盤２０の盤面に沿う盤面方向(実施例では左右方向)に並ぶ可動部材６０および動作部材７０の列が前後方向に複数配設され、後列の可動部材６０および動作部材７０の少なくとも一部分が、前列の可動部材６０および動作部材７０の横側や上側などに出て、前側から視認可能になっている。そして、可動演出装置４０は、可動部材６０および動作部材７０を動作することで、前後の列の可動部材６０および動作部材７０の重なり状態が変化するよう構成される。なお、可動演出装置４０は、作動機構Ｍ,４８,５０、可動部材６０および動作部材７０をベース部材４２で支持して、１つのユニットとして取り付けおよび取り外しなどの取り扱い可能になっている。
【００２４】
(ベース部材)
図９および図１０に示すように、前記ベース部材４２は、板状に形成された後ベース体４４と、この後ベース体４４の前側に取り付けられた前ベース体(ベース体)４６とから構成され、左右方向に幅広に形成されている。なお、後ベース体４４および前ベース体４６は、何れも透明な樹脂成形品である。前ベース体４６は、後ベース体４４より上下寸法が小さく形成されて、下縁部および側縁部に後方へ突出するベース壁片４６ａを有している。前ベース体４６は、後ベース体４４の下側領域の前側を覆うように、ベース壁片４６ａの後端を後ベース体４４の前面に突き合わせた状態で互いの下縁部を揃えて取り付けられ、前ベース体４６と後ベース体４６との間に可動部材６０の後述する支え部６１や後述する作動部材５０の後作動体５３などを収容可能な収容スペースが画成される(図８参照)。なお、可動部材６０および動作部材７０は、前ベース体４６の上縁より上側に全部または一部分が突出し、前ベース体４６の上縁より上側に延出する後ベース体４４の上側領域の前側に重なっている。
【００２５】
(作動機構)
図９および図１０に示すように、前記作動機構は、駆動手段としての作動モータＭと、この作動モータＭの出力軸に固定された作動歯車４８と、作動歯車４８に噛み合うラック部５１を有する作動部材５０とから基本的に構成され、所謂ラックアンドピニオンにより、作動モータＭの駆動に伴う作動歯車４８の回転が作動部材５０の直線的な往復移動に変換される。作動モータＭは、後ベース体４４の後側に取り付けられるモータ設置台４９に設置され(図６参照)、後ベース体４４とモータ設置台４９との間の前後スペースに延出する出力軸に作動歯車４８が固定されている。ここで、作動モータＭは、後ベース体４４の下部左側に設置されている。
【００２６】
(作動部材)
前記作動部材５０は、作動モータＭの駆動により、初期位置である第１位置(図１３(ａ),図１４(ａ))と、この第１位置から所定の作動方向に移動した第２位置(図１３(ｂ),図１４(ｂ))との間で作動するよう構成される。図５に示すように、実施例の作動部材５０は、前ベース体４６の下部に、その作動方向が左右方向になるように往復移動可能に配設され、第１位置から右側に移動することで第２位置になる。作動部材５０は、作動方向に沿う一縁辺に、該作動方向と交差する方向(実施例では上下方向)に突出したり凹むように凹凸が形成された当接面５２ａ,５３ａを有している。そして、実施例の可動演出装置４０では、作動部材５０の上面を構成する当接面５２ａ,５３ａの上側に、可動部材６０および動作部材７０が配設される(図１１参照)。当接面５２ａ,５３ｂは、可動部材６０を上昇状態(第１可動状態)となるように該可動部材６０の当接部６２を支持する支持部５４と、この支持部５４に対して作動方向に連ねて形成されて該支持部５４より凹んで可動部材６０を下降状態になるように該当接部６２を収容可能な収容部５５からなる作動組を、作動部材５０の作動に伴う当接面５２ａ,５３ａの移動経路に並ぶ複数の可動部材６０の夫々に対応して備えている(図１３および図１４参照)。作動部材５０の第１位置および第２位置の何れか一方において、作動組における収容部５５に対応の可動部材６０の当接部６２を収容した状態になると共に、作動部材５０の第１位置および第２位置の何れか他方において、作動組における支持部５４が対応の可動部材６０の当接部６２に当接するようになっている。すなわち、作動組は、支持部５４と、この支持部５４より下方へ凹んだ収容部５５との組み合わせであり、当接面５２ａ,５３ａは、上下方向に進退移動可能に配設された可動部材６０の移動方向に凸凹する形状になっている。支持部５４の高さおよび深さは、可動部材６０に対応して適宜に設定され、実施例では可動部材６０の当接部６２に同じ高さで支持部５４が当接する作動組と、当該作動組の支持部５４と異なる高さで可動部材６０の当接部６２に支持部５４が当接する作動組を有している。また、実施例では、可動部材６０の当接部６２を同じ高さになるように収容部５５に受け入れる作動組と、当該作動組の収容部５５と異なる高さで可動部材６０の当接部６２を収容部５５に受け入れる作動組とを有している。
【００２７】
図９および図１０に示すように、前記作動部材５０は、左右方向に長手が延在する棒状に形成され、前ベース体４６の前側に配置される前作動体５２と、前ベース体４６の後側に配置される後作動体５３とから構成される。後作動体５３は、凹凸が形成された前記当接面としての後部当接面５３ａと、前面に左右方向に離間して、前方へ突出形成された複数の取付ボス５３ｂと、左側部に後方へ張り出すように形成されたラック部５１とを有している。また、前作動体５２は、凹凸が形成された前記当接面としての前部当接面５２ａを有し、前作動体５２および後作動体５３は、当接面５２ａ,５３ａにおける凹凸の位置や高さなどが異なるが、全体の長さや当接面５２ａ,５３ａと反対側の面(下面)の形状などの形状が同じに形成されている。作動部材５０は、後作動体５３における複数の取付ボス５３ｂを、前ベース体４６の下部に、左右方向に長手が延在する長孔状に貫通形成された取付開口４６ｂに夫々挿入し、前作動体５２側から取付ボス５３ｂにネジ止めすることで、前作動体５２および後作動体５３が前ベース体４６を挟んだ状態で組み付けられる。実施例では、後作動体５３の左右両端部および中央部の３箇所に取付ボス５３ｂが設けられると共に、前ベース体４６の左右端部および中央部の３箇所に取付開口４６ｂが設けられている。作動部材５０は、後作動体５３の右端部を除く大部分が、ベース部材４２における後ベース体４４と前ベース体４６との間の収容スペースに収容されている。
【００２８】
前記ラック部５１は、後ベース体４４の下部左側に、左右方向に長手が延在する長孔状に貫通形成された作動開口４４ａ(図９および図１０参照)に挿入され、後ベース体４４の後側に突出するようになっている。ラック部５１の下面は、作動歯車４８に合わせて歯切りされており、作動開口４４ａを介してラック部５１が、後ベース体４４の後側に配置された作動歯車４８の上部に噛み合うようになっている。このように、作動部材５０には、作動モータＭの駆動力が作動歯車４８およびラック部５１を介して伝達され、取付開口４６ｂの上下の開口縁に各取付ボス５３ｂの上下の移動が規制されたもとで、取付開口４６ｂに案内されて左右方向に移動するよう構成される。
【００２９】
(可動部材)
図１１に示すように、前記可動演出装置４０では、作動部材５０の作動に伴う当接面５２ａ,５３ａの移動経路に並ぶように、複数の可動部材６０が配置されている。各可動部材６０は、作動部材５０の作動方向に交差する方向に進退移動可能に配設されると共に、当接面５２ａ,５３ａに向けて付勢されている。ここで、可動部材６０は、前ベース体４６に、上下方向に往復移動可能に支持されて、自重による付勢力が下方に延在する作動部材５０の当接面５２ａ,５３ａに向けてかかるようになっている。また、可動部材６０には、該可動部材６０の下方に延出する当接部６２が設けられ(図１３および図１４参照)、当接面５２ａ,５３ａとの当接により該当接面５２ａ,５３ａの凹凸に追従して昇降する当接部６２に伴って、可動部材６０が昇降するよう構成される。可動部材６０は、当接面５２ａ,５３ａの支持部５４に当接部６２が支持された際に上昇状態(第１可動状態)になり、当接面５２ａ,５３ａの支持部５４に当接部６２が収容された際に上昇状態より下方変位した下降状態(第２可動状態)になる。可動演出装置４０は、前ベース体４６の前側と後側とに可動部材６０が振り分けて配設されている(図７および図８参照)。ここで、前ベース体４６の前側に配設された可動部材６０の当接部６２は、作動部材５０において前ベース体４６の前側に臨む前作動体５２の前部当接面５２ａに当接可能に構成されて(図１１(ａ)参照)、前部当接面５２ａの凹凸に追従して昇降する当接部６２により当該可動部材６０が昇降するようになっている。同様に、前ベース体４６の後側に配設された可動部材６０の当接部６２は、作動部材５０において前ベース体４６の後側に臨む後作動体５３の後部当接面５３ａに当接可能に構成されて(図１１(ｂ)参照)、後部当接面５３ａの凹凸に追従して昇降する当接部６２により当該可動部材６０が昇降するようになっている。
【００３０】
(可動部材の意匠形状)
前記可動部材６０は、板状に形成されている(図７および図８参照)。また、可動部材６０は、板面を遊技盤２０の盤面に沿わした姿勢で配設され、同じ列で並ぶ可動部材６０の前後位置が揃っている。可動部材６０は、上部にパチンコ機のモチーフなどに合わせて所定の意匠形状で形成された本体部分と、この本体部分よりも狭い幅で該本体部分より下方へ延出するよう形成された支え部６１とを有し、この支え部６１より更に下方に延出するように前記当接部６２が設けられている。複数の可動部材６０は、互いに共通するコンセプトに基づいた共通する意匠形状で本体部分が形成されており、実施例では何れの本体部分も、同じ書体の文字を象ったデザインとされている。また、可動部材６０は、透明な板材に文字の縁取りなどの装飾を施して形成されており、装飾部分を除いて光を透過可能に構成されている。
【００３１】
(可動部材の取り付け構造)
図９および図１０に示すように、前記可動部材６０の支え部６１は、後方(前ベース体４６の前側の可動部材６０の場合)または前方(前ベース体４６の後側の可動部材６０の場合)へ突出形成され、該可動部材６０の変位方向に離間して配置された複数(実施例では２つ)の支持ボス６３を備えている。円柱状に形成された支持ボス６３の外周には、一方の端縁に鍔を有する円筒状の支持スリーブ６４が回転可能に嵌められ、支持ボス６３および支持スリーブ６４により支持軸部６５が構成される。前ベース体４６には、上下方向に長手が延在する長孔形状の支持開口(ガイド部)４６ｃが、可動部材６０の夫々に対応して貫通形成されている。すなわち、前ベース体４６には、７つの可動部材６０に対応して、７つの支持開口４６ｃが左右方向に並んでいる。支持開口４６ｃの一方(前側の可動部材６０であれば前側で、後側の可動部材６０であれば後側)から支持軸部６５を挿入し、支持開口４６ｃの他方(前側の可動部材６０であれば後側で、後側の可動部材６０であれば前側)から上下の支持ボス６３に対して支持板６６を挟んでネジ止めすることで、可動部材６０が前ベース体４６に対して昇降可能に支持される。支持板６６は、支持開口４６ｃの短手(左右)幅より幅広に形成されて、可動部材６０は、前ベース体４６を前後に挟む支え部６１および支持板６６により、前後方向の移動が規制される。ここで、最前列に位置する前可動部材６０Ａ,６０Ｂ,６０Ｃが取り付けられる支持開口４６ｃの開口縁には、前ベース体４６の前面から前方へ向けて突出する支持壁４６ｄが形成されており(図１１(ａ)参照)、これらの前可動部材６０Ａ,６０Ｂ,６０Ｃの支え部６１が支持壁４６ｄで後方への移動規制されて、前可動部材６０Ａ,６０Ｂ,６０Ｃが前ベース体４６の前側に離間した状態が保たれる。そして、可動部材６０は、支持軸部６５が支持開口４６ｃの長手辺に案内されて、自重により下降した下降状態と当接面５２ａ,５３ａの支持部５４により当接部６２が押し上げられて上昇した上昇状態との間での移動が許容される。
【００３２】
図１２に示すように、支持スリーブ６４の直径(支持軸部６５の外形寸法)は、支持開口４６ｃの短手(左右)幅よりも小さく設定されている。そして、可動部材６０は、支え部６１に設けられた支持軸部６５を前ベース体４６に開設された支持開口４６ｃに作動部材５０の作動方向に隙間をあけて遊嵌している。すなわち、可動部材６０は、前ベース体４６に対して昇降する主となる動作を妨げない範囲で左右方向にも変位可能に構成されている。
【００３３】
(当接部)
図９および図１０に示すように、前記当接部６２は、支え部６１から下方へ延出しており、作動部材５０の当接面５２ａ,５３ａに接触する下端部が円弧状に形成されている。また、当接部６２は、可動部材６０が上昇状態にあっても、支持開口４６ｃの下端縁よりも下方へ延出する長さで形成されている。ここで、前部当接面５２ａより前側にずれて配置される前可動部材６０Ａ,６０Ｂ,６０Ｃの当接部６２の下端部には、後方へ向けて延出する補助当接片６２ａが設けられ(図１０参照)、この補助当接片６２ａが前部当接面５２ａに当接するようになっている。これに対して、前部当接面５２ａの上側に配置される中可動部材６０Ｄ,６０Ｅの当接部６２および後部当接面５３ａの上側に配置される後可動部材６０Ｆ,６０Ｇの当接部６２は、板状の支え部６１から延長した形状になっている。なお、当接部６２は、支え部６１より狭い幅で形成されている。
【００３４】
図７および図８に示すように、前記可動演出装置４０は、左右方向に並ぶ可動部材６０の列が、前ベース体４６の前側に位置して前後２列配設されると共に、前ベース体４６の後側に位置して１列配設されている。図５に示すように、実施例の可動演出装置４０には、前ベース体４６の前側において前列に並ぶ可動部材６０として、右から左に向けて、右前可動部材６０Ａ、内前可動部材６０Ｂおよび左前可動部材６０Ｃの３つが並んでいる。また、可動演出装置４０には、前ベース体４６の前側において後列に並ぶ可動部材６０として、右から左に向けて、右中可動部材６０Ｄおよび左中可動部材６０Ｅの２つが並んでいる。右中可動部材６０Ｄは、右前可動部材６０Ａと内前可動部材６０Ｂとの間に配置されており、右中可動部材６０Ｄの一部が右前可動部材６０Ａおよび内前可動部材６０Ｂの後側に重なっている。また、左中可動部材６０Ｅは、左前可動部材６０Ｃの左側に配置されており、左中可動部材６０Ｅの一部が左前可動部材６０Ｃの後側に重なっている。可動演出装置４０には、前ベース体４６の後側に並ぶ可動部材６０として、右前可動部材６０Ａと右中可動部材６０Ｄとの間に、右後可動部材６０Ｆが配置されており、右後可動部材６０Ｆの一部が、右前可動部材６０Ａ、内前可動部材６０Ｂおよび右中可動部材６０Ｄの後側に重なっている。更に前ベース体４６の後側に並ぶ可動部材６０として、左前可動部材６０Ｃと左中可動部材６０Ｅとの間に、左後可動部材６０Ｇが配置されており、左後可動部材６０Ｇの一部が、左前可動部材６０Ｃおよび左中可動部材６０Ｅの後側に重なっている。ここで、前ベース体４６を前後に挟んだ関係で左右に隣り合う右中可動部材６０Ｄと右後可動部材６０Ｆとは、支え部６１から右方へ大きく延出するように形成された右中可動部材６０Ｄに対し、支え部６１から左方へ大きく延出するように右後可動部材６０Ｆが形成されて、互いに広範囲で重なっている。同様に、前ベース体４６を前後に挟んだ関係で左右に隣り合う左前可動部材６０Ｃと左後可動部材６０Ｇとは、支え部６１から左方へ大きく延出するように形成された左前可動部材６０Ｃに対し、支え部６１から右方へ延出するように左後可動部材６０Ｇが形成されている。更に、前ベース体４６には、該前ベース体４６の後側に配設された可動部材６０の当接部６２に対して左右方向に隣り合って、該前ベース体４６の前側に配設された可動部材６０の当接部６２が配置されている。
【００３５】
(可動部材と作動部材の当接面との関係)
図１３に示すように、前記可動演出装置４０は、作動部材５０を第１位置にした際に、当接面５２ａ,５３ａの支持部５４に当接部６２が支持される可動部材６０と、該当接面５２の収容部５５に当接部６２が位置する可動部材６０とを有している。図１４に示すように、可動演出装置４０は、作動部材５０を第２位置にした際に、該作動部材５０の第１位置で当接部６２が支持部５４に位置していた可動部材６０が収容部５５に位置すると共に、該作動部材５０の第１位置で当接部６２が収容部５５に位置していた可動部材６０が支持部５４に位置するように切り替える構成になっている。作動部材５０の第１位置において、右前可動部材６０Ａ、左前可動部材６０Ｃ、右中可動部材６０Ｄ、左中可動部材６０Ｅおよび左後可動部材６０Ｇは、当接部６２が収容部５５に収容されて下降状態にあり、内前可動部材６０Ｂおよび右後可動部材６０Ｆは、当接部６２が支持部５４に支持されて上昇状態にある。また、作動部材５０の第２位置において、右前可動部材６０Ａ、左前可動部材６０Ｃ、右中可動部材６０Ｄ、左中可動部材６０Ｅおよび左後可動部材６０Ｇは、当接部６２が支持部５４に支持されて上昇状態にあり、内前可動部材６０Ｂおよび右後可動部材６０Ｆは、当接部６２が収容部５６に収容されて下降状態にある。このように、可動演出装置４０の左側領域に配置された左前可動部材６０Ｃ、左中可動部材６０Ｅおよび左後可動部材６０Ｇが、同じ向きに昇降するのに対して、可動演出装置４０の右側領域に右から左に向けて順に並ぶ右前可動部材６０Ａ、右後可動部材６０Ｂ、右中可動部材６０Ｄおよび内前可動部材６０Ｂは、左右方向に隣り合うもの同士が互いに反対向きに昇降するようになっている。
【００３６】
(右前作動組)
図１３に示すように、前記右前可動部材６０Ａに対応した右前作動組は、前部当接面５２ａの右側に設けられた右前支持部５４Ａと、この右前支持部５４Ａの右側に設けられた右前収容部５５Ａとからなり、作動部材５０の第１位置において右前収容部５５Ａが右前可動部材６０Ａの当接部６２の下側に位置し、作動部材５０の第２位置において右前支持部５４Ａが右前可動部材６０Ａの当接部６２に下側から当接するようになっている。右前支持部５４Ａの右側に設けられた右前収容部５５Ａのガイド面には、その途中に右前支持部５４Ａよりも低い段部５６が設けられ、右前支持部５４Ａと段部５６との間が該段部５６よりも低くなると共に段部５６から右側へ向かうにつれて下方傾斜するよう形成されている。すなわち、作動部材５０を第１位置から第２位置に移動すると、右前収容部５５Ａに位置する当接部６２をガイド面の傾斜で案内して徐々に上昇し、段部５６を乗り越えると一旦下降した後に上昇して右前支持部５４Ａに至り、これにより右前可動部材６０Ａが上昇途中に一旦下降して上昇するように変位される。また、作動部材５０を第２位置から第１位置に移動すると、右前支持部５４Ａで支持していた当接部６２をガイド面の傾斜で案内して徐々に下降し、段部５６で一旦上昇した後に再び下降し、これにより右前可動部材６０Ａが下降途中に一旦上昇した後に下降するように変位される。右前可動部材６０Ａの当接部６２は、作動部材５０の第１位置において右前収容部５４Ａに位置する際に、支持軸部６５が支持開口４６ｃの下端縁に支持されて、前記ガイド面の上方に離間した状態になっている。すなわち、右前作動組は、作動部材５０の作動に伴って当接部６２が前記ガイド面に当接した際に該ガイド面の傾斜により右前可動部材６０Ａを昇降変位させるが、ガイド面に当接部６２が当接していない離間期間において右前可動部材６０Ａは下降状態で保たれる。
【００３７】
(内前作動組)
図１３に示すように、前記内前可動部材６０Ｂに対応した内前作動組は、前部当接面５２ａの中間部に設けられた内前支持部５４Ｂと、この内前支持部５４Ｂの左側に設けられた内前収容部５５Ｂとからなり、作動部材５０の第１位置において内前支持部５４Ｂが内前可動部材６０Ｂの当接部６２に下側から当接し、内前収容部５５Ｂが内前可動部材６０Ｂの当接部６２の下側に位置するようになっている。内前支持部５４Ｂの左側に設けられた内前収容部５５Ｂのガイド面は、右から左に向かうにつれて下方傾斜するよう形成されている。すなわち、作動部材５０を第１位置から第２位置に移動すると、内前支持部５４Ｂで支持していた当接部６２をガイド面の傾斜で案内して徐々に下降させ、これにより内前可動部材６０Ｂが下降変位される。また、作動部材５０を第２位置から第１位置に移動すると、内前収容部５５Ｂに位置する当接部６２をガイド面の傾斜で案内して徐々に上昇させ、これにより内前可動部材６０Ｂが上昇変位される。内前可動部材６０Ｂの当接部６２は、作動部材５０の第２位置において内前収容部５５Ｂに位置する際に、支持軸部６５が支持開口４６ｃの下端縁に支持されて、内前収容部５５Ｂにおける平らに形成された底部から離間した状態になっている。また、内前可動部材６０Ｂの当接部６２は、作動部材５０の第２位置において内前収容部５５Ｂに位置する際に、前記ガイド面から左側に離間しており、作動部材５０を作動しても当接部６２が前部当接面５２ａに当接しない離間期間がある。すなわち、内前作動組は、作動部材５０の作動に伴って当接部６２が前記ガイド面に当接した際に該ガイド面の傾斜により内前可動部材６０Ｂを昇降変位させるが、ガイド面に当接部６２が当接していない離間期間において内前可動部材６０Ｂは下降状態で保たれる。
【００３８】
(左前作動組)
図１３に示すように、前記左前可動部材６０Ｃに対応した左前作動組は、前部当接面５２ａにおいて前記内前支持部５４Ｂの左側に設けられた左前支持部５４Ｃと、この左前支持部５４Ｃの右側に前記内前支持部５４Ｂとの間に設けられた左前収容部５５Ｃとからなり、作動部材５０の第１位置において左前収容部５５Ｃが左前可動部材６０Ｃの当接部６２の下側に位置し、作動部材５０の第２位置において左前支持部５４Ｃが左前可動部材６０Ｃの当接部６２に下側から当接するようになっている。左前支持部５４Ｃの右側に設けられた左前収容部５５Ｃのガイド面は、左から右に向かうにつれて下方傾斜するよう形成されている。すなわち、作動部材５０を第１位置から第２位置に移動すると、左前収容部５５Ｃに位置する当接部６２をガイド面の傾斜で案内して徐々に上昇させ、これにより左前可動部材６０Ｃが上昇変位される。また、作動部材５０を第２位置から第１位置に移動すると、左前支持部５４Ｃで支持していた当接部６２をガイド面の傾斜で案内して徐々に下降させ、これにより左前可動部材６０Ｃが下降変位される。左前可動部材６０Ｃの当接部６２は、作動部材５０の第１位置において左前収容部５５Ｃに位置する際に、左前収容部５５Ｃの平らに形成された底部で支持されている。また、左前可動部材６０Ｃの当接部は、作動部材５０の第１位置において左前収容部５５Ｃに位置する際に、前記ガイド面から右側に離間しており、作動部材５０の作動に伴って当接部６２が左前収容部５５Ｃの平らな面に摺接する摺接期間がある。すなわち、左前作動組は、作動部材５０の作動に伴って当接部６２が前記ガイド面に当接した際に該ガイド面の傾斜により左前可動部材６０Ｃを昇降変位させるが、ガイド面に当接部６２が当接していない摺接期間において左前可動部材６０Ｃは下降状態で保たれる。
【００３９】
(右中作動組)
図１３に示すように、前記右中可動部材６０Ｄに対応した右中作動組は、前部当接面５２ａにおいて前記右前支持部５４Ａと前記内前支持部５４Ｂとの間に設けられた右中支持部５４Ｄと、この右中支持部５４Ｄの右側に前記右前支持部５４Ａとの間に設けられた右中収容部５５Ｄとからなり、作動部材５０の第１位置において右中収容部５５Ｄが右中可動部材６０Ｄの当接部６２の下側に位置し、作動部材５０の第２位置において右中支持部５４Ｄが右中可動部材６０Ｄの当接部６２に下側から当接するようになっている。右中支持部５４Ｄの右側に設けられた右中収容部５５Ｄのガイド面は、左から右に向かうにつれて下方傾斜するよう形成されている。すなわち、作動部材５０を第１位置から第２位置に移動すると、右中収容部５５Ｄに位置する当接部６２をガイド面の傾斜で案内して徐々に上昇させ、これにより右中可動部材６０Ｄが上昇変位される。また、作動部材５０を第２位置から第１位置に移動すると、右中支持部５４Ｄで支持していた当接部６２をガイド面の傾斜で案内して徐々に下降させ、これにより右中可動部材６０Ｄが下降変位される。右中可動部材６０Ｄの当接部６２は、作動部材５０の第１位置において右中収容部５５Ｄに位置する際に、右中収容部５５Ｄの平らに形成された底部で支持されている。また、右中可動部材６０Ｄの当接部６２は、作動部材５０の第１位置において右中収容部５５Ｄに位置する際に、前記ガイド面から右側に離間しており、作動部材５０の作動に伴って当接部６２が右中収容部５５Ｄの平らな面に摺接する摺接期間がある。すなわち、右中作動組は、作動部材５０の作動に伴って当接部６２が前記ガイド面に当接した際に該ガイド面の傾斜により右中可動部材６０Ｄを昇降変位させるが、ガイド面に当接部６２が当接していない摺接期間において左前可動部材６０Ｃは下降状態で保たれる。
【００４０】
(左中作動組)
図１３に示すように、前記左中可動部材６０Ｅに対応した左中作動組は、前部当接面５２ａにおいて前記左前支持部５４Ｃの左側に設けられて該前部当接面５２ａの左端部にある左中支持部５４Ｅと、この左中支持部５４Ｅの右側に設けられた左中収容部５５Ｅとからなり、作動部材５０の第１位置において左中収容部５５Ｅが左中可動部材６０Ｅの当接部６２の下側に位置し、作動部材５０の第２位置において左中支持部５４Ｅが左中可動部材６０Ｅの当接部６２に下側から当接するようになっている。左中支持部５４Ｅの右側に設けられた左中収容部５５Ｅのガイド面は、左から右に向かうにつれて下方傾斜するよう形成されている。すなわち、作動部材５０を第１位置から第２位置に移動すると、左中収容部５５Ｅに位置する当接部６２をガイド面の傾斜で案内して徐々に上昇させ、これにより左中可動部材６０Ｅが上昇変位される。また、作動部材５０を第２位置から第１位置に移動すると、左中支持部５４Ｅで支持していた当接部６２をガイド面の傾斜で案内して徐々に下降させ、これにより左中可動部材６０Ｅが下降変位される。左中可動部材６０Ｅの当接部６２は、作動部材５０の第１位置において左中収容部５５Ｅに位置する際に、支持軸部６５が支持開口４６ｃの下端縁に支持されて、左中収容部５５Ｅの平らに形成された底部から離間した状態になっている。また、左中可動部材６０Ｅの当接部６２は、作動部材５０の第１位置において左中収容部５５Ｅに位置する際に、前記ガイド面から右側に離間しており、作動部材５０を作動しても当接部６２が前部当接面５２ａに当接しない離間期間がある。すなわち、左中作動組は、作動部材５０の作動に伴って当接部６２が前記ガイド面に当接した際に該ガイド面の傾斜により左中可動部材６０Ｅを昇降変位させるが、ガイド面に当接部６２が当接していない離間期間において左中可動部材６０Ｅは下降状態で保たれる。
【００４１】
(右後作動組)
図１４に示すように、前記右後可動部材６０Ｆに対応した右後作動組は、後部当接面５３ａにおいて右側に設けられた右後支持部５４Ｆと、この右後支持部５４Ｆの左側に設けられた右後収容部５５Ｆとからなり、作動部材５０の第１位置において右後支持部５４Ｆが右後可動部材６０Ｆの当接部６２に下側から当接し、作動部材５０の第２位置において右後収容部５５Ｆが右後可動部材６０Ｆの当接部６２の下側に位置するようになっている。右後支持部５４Ｆの左側に設けられた右後収容部５５Ｆのガイド面は、右から左に向かうにつれて下方傾斜するよう形成されている。すなわち、作動部材５０を第１位置から第２位置に移動すると、右後支持部５４Ｆで支持していた当接部６２をガイド面の傾斜で案内して徐々に下降させ、これにより右後可動部材６０Ｆが下降変位される。また、作動部材５０を第２位置から第１位置に移動すると、右後収容部５５Ｆに位置する当接部６２をガイド面の傾斜で案内して徐々に上昇させ、これにより右後可動部材６０Ｆが上昇変位される。右後可動部材６０Ｆの当接部６２は、作動部材５０の第２位置において右後収容部５５Ｆに位置する際に、支持軸部６５が支持開口４６ｃの下端縁に支持されて、右後収容部５５Ｆの平らに形成された底部から離間した状態になっている。また、右後可動部材６０Ｆの当接部６２は、作動部材５０の第２位置において右後収容部５５Ｆに位置する際に、前記ガイド面から左側に離間しており、作動部材５０を作動しても当接部６２が後部当接面５３ａに当接しない離間期間がある。すなわち、右後作動組は、作動部材５０の作動に伴って当接部６２が前記ガイド面に当接した際に該ガイド面の傾斜により右後可動部材６０Ｆを昇降変位させるが、ガイド面に当接部６２が当接していない離間期間において右後可動部材６０Ｆは下降状態で保たれる。
【００４２】
(左後作動組)
図１４に示すように、前記左後可動部材６０Ｇに対応した左後作動組は、後部当接面５３ａにおいて左側に設けられた左後支持部５４Ｇと、この左後支持部５４Ｇの右側に設けられた左後収容部５５Ｇとからなり、作動部材５０の第１位置において左後収容部５５Ｇが左後可動部材６０Ｇの当接部６２の下側に位置し、作動部材５０の第２位置において左後支持部５４Ｇが左後可動部材６０Ｇの当接部６２に下側から当接するようになっている。左後支持部５４Ｇの右側に設けられた左後収容部５５Ｇのガイド面は、左から右に向かうにつれて下方傾斜するよう形成されている。すなわち、作動部材５０を第１位置から第２位置に移動すると、左後収容部５５Ｇに位置する当接部６２をガイド面の傾斜で案内して徐々に上昇させ、これにより左後可動部材６０Ｇが上昇変位される。また、作動部材５０を第２位置から第１位置に移動すると、左後支持部５４Ｇで支持していた当接部６２をガイド面の傾斜で案内して徐々に下降させ、これにより左後可動部材６０Ｇが下降変位される。左後可動部材６０Ｇの当接部６２は、作動部材５０の第１位置において左後収容部５５Ｇに位置する際に、左後収容部５５Ｇにおける平らに形成された底部に支持されている。また、左後可動部材６０Ｇの当接部６２は、作動部材５０の第１位置において左後収容部５５Ｇに位置する際に、前記ガイド面から右側に離間しており、作動部材５０の作動に伴って当接部６２が左後収容部５５Ｇの平らな面に摺接する摺接期間がある。すなわち、左後作動組は、作動部材５０の作動に伴って当接部６２が前記ガイド面に当接した際に該ガイド面の傾斜により左後可動部材６０Ｇを昇降変位させるが、ガイド面に当接部６２が当接していない摺接期間において左後可動部材６０Ｇは下降状態で保たれる。
【００４３】
前記複数の可動部材６０は、当接部６２が支持部５４により上下方向に異なる支持位置で支持されたものと、当接部６２が支持部５４により上下方向の同じ支持位置で支持されるものとがある。実施例では、内前支持部５４Ｂおよび左中支持部５４Ｅが、左前支持部５４Ｃ、右中支持部５４Ｄ、右後支持部５４Ｆおよび左後支持部５４Ｇと比べて可動部材６０側へ突出するよう形成され、右前支持部５４Ａが、内前支持部５４Ｂおよび左中支持部５４Ｅと比べて可動部材６０側へ突出するように形成されている。そして、右前支持部５４Ａによる右前可動部材６０Ａの当接部６２の支持位置が最も高く、左中支持部５４Ｅによる左前可動部材６０Ｅの当接部６２の支持位置および内前支持部５４Ｂによる内前可動部材６０Ｂの支持位置が２番目に高く、その他の支持部５４Ｃ,５４Ｄ,５４Ｆ,５４Ｇによる当接部６２の支持位置が最も低くなるよう、３段階の高さになっている。また、右中収容部５５Ｄ、内前収容部５５Ｂ、左前収容部５５Ｃ、右後収容部５５Ｆおよび左後収容部５５Ｇの底部は、同じ高さに延在しており、左中収容部５５Ｅの底部が右中収容部５５Ｄ等の底部より上側に延在すると共に、右前収容部５５Ａの底部が左中収容部５５Ｅの底より上側に延在している。なお、収容部５５の底部は、作動部材５０の作動方向に平らに形成されている。
【００４４】
(動作部材)
図１１に示すように、前記可動演出装置４０は、動作部材７０として、左前可動部材６０Ｃと内前可動部材６０Ｂとの間に配置された右前動作部材７０Ａと、左中可動部材６０Ｅの左側に配置された左前部動作部材７０Ｂと、右前可動部材６０Ｆの右側に配置された後動作部材７０Ｃとを備えている。右前動作部材７０Ａは、前ベース体４６の前側において後列に位置する可動部材６０Ｄ,６０Ｅと前後位置が揃うように並べられて、左前可動部材６０Ｃおよび内前可動部材６０Ｂの後側でかつ左後可動部材６０Ｇの前側に、一部重なるように配設されている。左前動作部材７０Ｂは、前ベース体４６の前側において最前列に位置する可動部材６０Ａ,６０Ｂ,６０Ｃと前後位置が揃うように並べられて、左中可動部材６０Ｅの前側に一部重なるように配設されている。後動作部材７０Ｃは、前ベース体４６の後側において最後列に位置する可動部材６０Ｆ,６０Ｇと前後位置が揃うように並べられて、右前可動部材６０Ａの後側に一部重なるように配設されている。なお、動作部材７０は、板状に形成されて、可動部材６０と共通する意匠形状で形成されており、実施例では何れの動作部材７０も、同じ書体の文字を象ったデザインとされている。また、動作部材７０は、透明な板材に文字の縁取りなどの装飾を施して形成されており、装飾部分を除いて光を透過可能に構成されている。
【００４５】
前記右前動作部材７０Ａは、本体部分が前ベース体４６の前側に回動可能に軸支されると共に、本体部分の下側に突出するリンクアーム７１を備えている。リンクアーム７１の下端部には、長孔状の接続口７１ａが開設されており、この接続口７１ａに、前ベース体４６の左右方向中央部に回動可能に軸支された補助リンク７２の上端部に前方へ突設された補助接続軸７２ａを挿入して、右前動作部材７０Ａと補助リンク７２とが接続される。また、補助リンク７２は、前ベース体４６との軸支部分を挟んで補助接続軸７２ａと反対側になる下端部に、長孔状の補助接続口７２ｂが開設されており、この補助接続口７２ｂに前作動体５２の左右方向中央部に前方へ突設された接続軸７３を挿入して、補助リンク７２と作動部材５０とが接続される。そして、作動部材５０の作動に伴って左右方向に変位する接続軸７３に係合して補助リンク７２が揺動されると共に補助リンク７２の揺動に伴ってリンクアーム７１が揺動され、これにより右前動作部材７０Ａが前ベース体４６への軸支部分を中心に姿勢変位される。
【００４６】
前記左前動作部材７０Ｂは、本体部分が前ベース体４６の前側に回動可能に軸支されると共に、本体部分の下側に突出するリンクアーム７１を備えている。リンクアーム７１の下端部には、長孔状の接続口７１ａが開設されており、この接続口７１ａに前作動体５２の左端部に前方へ突設された接続軸７３を挿入して、左前動作部材７０Ｂと作動部材５０とが接続される。そして、作動部材５０の作動に伴って左右方向に変位する接続軸７３に係合してリンクアーム７１が揺動され、これにより左前動作部材７０Ｂが前ベース体４６への軸支部分を中心に姿勢変位される。
【００４７】
前記後動作部材７０Ｃは、本体部分が後ベース体４４の前側に回動可能に軸支されると共に、本体部分の下側に突出するリンクアーム７１を備えている。リンクアーム７１の下端部には、長孔状の接続口７１ａが開設されており、この接続口７１ａに後作動体５３の右端部に前方へ突設された接続軸７３を挿入して、後動作部材７０Ｃと作動部材５０とが接続される。そして、作動部材５０の作動に伴って左右方向に変位する接続軸７３に係合してリンクアーム７１が揺動され、これにより後動作部材７０Ｃが後ベース体４４への軸支部分を中心に姿勢変位される。
【００４８】
(発光手段)
図８に示すように、前記ベース部材４２には、前ベース体４６の上縁から上側に延出する後ベース体４４の上側領域に、発光手段７４が配設されている。実施例の発光手段７４は、ＬＥＤ等の発光体７５が前面に実装された発光基板７６からなり、後ベース体４４の上側領域後側に発光基板７６が取り付けられ、発光体７５から透明な後ベース体４４を介して前方へ光を照射可能になっている。また、後ベース体４４の上側領域後側には、光を透過可能な光透過部を有する飾り部材７７が配設され、発光体７５からの光の照射によって飾り部材７７の光透過部が照明される。なお、飾り部材７７は、可動部材６０と共通する意匠形状で形成されており、実施例では同じ書体の文字が多数付されたデザインとされている。飾り部材７７は、透明な厚肉シート材に文字の縁取りなどの装飾を施して形成されており、装飾部分に囲まれた光透過部に光拡散処理が施されている。更に、後ベース体４４の上側領域の前側には、可動部材６０および動作部材７０が配置されており、発光体７５からの光の照射により可動部材６０および動作部材７０を照明し得るようになっている。ここで、可動演出装置４０では、後列の可動部材６０および動作部材７０の前側に、前列の可動部材６０および動作部材７０が重なるように配置されているが、後側にある可動部材６０および動作部材７０の光透過部分を介して前側に重なる可動部材６０および動作部材７０に設けられた光透過部分を発光手段７４により照明するよう構成されている。すなわち、可動演出装置４０は、１つの発光手段７４によって前後に重なる可動部材６０、動作部材７０および飾り部材７７を同時に照明することができる。
【００４９】
前記後ベース体４４の左右中央下部には、作動部材５０の後作動体５３の左右方向中央部に上方に突設された検出片７８を検出する原位置検出手段８０が配設されている。実施例の原位置検出手段８０は、前後に対向配置された発光部と受光部を有するフォトセンサであり、作動部材５０の第１位置において検出片７８が発光部と受光部との間に位置し、作動部材５０が第１位置から作動することで、検出片７８が発光部と受光部との間から外れる。
【００５０】
〔実施例の作用〕
次に、実施例に係るパチンコ機１０の作用について説明する。可動演出装置４０は、作動部材の第１位置において、右前可動部材６０Ａ、左前可動部材６０Ｃ、右中可動部材６０Ｄ、左中可動部材６０Ｅおよび左後可動部材６０Ｇが下降状態にあり、内前可動部材６０Ｂおよび右後可動部材６０Ｆが上昇状態にある。可動演出装置４０は、作動モータＭを駆動して作動部材５０を第１位置から第２位置へ向けて作動することで、右前可動部材６０Ａ、左前可動部材６０Ｃ、右中可動部材６０Ｄ、左中可動部材６０Ｅおよび左後可動部材６０Ｇの当接部６２が夫々対応する支持部５４に連なる収容部５５のガイド面に案内されて下降状態から上昇し、内前可動部材６０Ｂおよび右後可動部材６０Ｆが夫々対応する支持部５４に連なる収容部５５のガイド面の傾斜に案内されて上昇状態から自重による下降が許容される。そして、可動演出装置４０は、作動部材５０が第２位置まで作動すると、右前可動部材６０Ａ、左前可動部材６０Ｃ、右中可動部材６０Ｄ、左中可動部材６０Ｅおよび左後可動部材６０Ｇが上昇状態になると共に、内前可動部材６０Ｂおよび右後可動部材６０Ｆが下降状態となる。このように、可動演出装置４０は、作動モータＭで作動部材５０を作動することで、作動部材５０における当接面５２ａ,５３ａの凹凸に追従する当接部６２により、可動部材６０を上下方向に進退移動させることができる。すなわち、複数の可動部材６０を、作動モータＭで作動する作動部材５０の当接面５２ａ,５３ａと当接部６２との当接による簡単な構成で進退移動させることができると共に、上昇する可動部材６０と下降する可動部材６０とを簡単に切り替えることができる。しかも、可動演出装置４０は、作動部材５０の作動により動作部材７０も同時に揺動させることができ、単一の作動モータＭにより複数の可動部材６０の動きによる演出を行うことができると共に、可動部材６０の動作演出に複合させて動作部材７０の動きによる演出を行うことができる。
【００５１】
前記可動部材６０は、前ベース体４６の支持開口４６ｃに挿入した支持軸部６５の該支持開口４６ｃの長手に沿う移動が許容されることで、当接面５２ａ,５３ａの凹凸に追従する当接部６２に伴って昇降可能になっている。ここで、支持軸部６５は、支持開口４６ｃの左右幅よりも左右幅が狭小に設定されて、支持開口４６ｃに対して左右方向に遊嵌されているから、支持軸部６５と支持開口４６ｃとの左右の隙間の範囲内で、可動部材６０の左右方向の変位や左右の傾きが許容され、当接面５２ａ,５３ａの凹凸に追従する当接部６２に伴う可動部材６０の昇降につれて、可動部材６０を左右方向へ変位させることができる。すなわち、可動部材６０に対して、左右方向に揺れながら昇降したり、左右方向に傾くように姿勢変位したり、左右方向に振動したりするなど、昇降動作に加えて多彩な変化を与えることができる。
【００５２】
前記作動部材５０の作動時に収容部５５のガイド面に沿って当接部６２が上昇するよう案内されている場合には、ガイド面から当接部６２を左右方向に押す力も加わるので、可動部材６０を左右方向に傾けるように力が作用する。また、作動部材５０の作動時に当接部６２が収容部５５の底部に摺接する摺接期間がある左前可動部材６０Ｃ、右中可動部材６０Ｄおよび左後可動部材６０Ｇの場合は、当接部６２に収容部５５の底部が摺接しつつ作動することで、当接部６２に左右方向に押す力も加わるので、可動部材６０を左右方向に傾けるように力が作用する。これに対して、当接部６２が収容部５５の底部から離間している内前可動部材６０Ｂ、左中可動部材６０Ｅおよび右後可動部材６０Ｆの場合は、作動部材５０の作動時に当接部６２がガイド面に接するまでの離間期間において、当接部６２に作動部材５０から力が加わらないので、可動部材６０の姿勢変位が起こり難い。このように、当接部６２が当接面５２ａ,５３ｂに当接する期間を可動部材６０に応じて変えているので、可動部材６０の動作をより多彩にすることができる。更に右前可動部材６０Ａの場合は、ガイド面に段部５６が設けてあるから、作動部材５０の作動時に段部５６を乗り越える際の当接部６２に不規則な力が加わり、右前可動部材６０Ａを左右方向に揺らすような不規則な力が作用する。
【００５３】
前記可動演出装置４０は、前ベース体４６を前後に挟んで可動部材６０および動作部材７０を振り分けて配設しているので、可動部材６０および動作部材７０を前後にずらすことができ、１つ１つの可動部材６０および動作部材７０を、前側または後側に配置された他の可動部材６０または動作部材７０と前後に重なるように大きく形成することができる。また、可動演出装置４０は、前ベース体４６の前側にも可動部材６０を２列で配置しているので、可動部材６０および動作部材７０が前後方向に多重に配置される。ここで、前ベース体４６の後側にある右後可動部材６０Ｆの左右方向(盤面方向)隣りには、前ベース体４６の前側にある右前可動部材６０Ａおよび右中可動部材６０Ｄが配置されているから、動作時に隣り合う可動部材６０Ａ,６０Ｄ,６０Ｆ同士の干渉を防止することができる。同様に、前ベース体４６の後側にある左後可動部材６０Ｇの左右方向(盤面方向)隣りには、前ベース体４６の前側にある左前可動部材６０Ｃおよび左中可動部材６０Ｅが配置されているから、動作時に隣り合う可動部材６０Ｃ,６０Ｅ,６０Ｇ同士の干渉を防止することができる。そして、可動演出装置４０は、可動部材６０および動作部材７０が動作することで、前後に重なる可動部材６０および動作部材７０の重なり状態が変化して、前側の可動部材６０または動作部材７０で隠れていた後側の可動部材６０または動作部材７０が前側から視認可能になったり、前側の可動部材６０または動作部材７０で後側の可動部材６０または動作部材７０を隠したりすることができる。また、可動部材６０および動作部材７０を動作することで、飾り部材７７における前側から視認可能な領域も変化させることができる。このように、可動演出装置４０によれば、可動部材６０または動作部材７０の動作に伴い、可動部材６０、動作部材７０および飾り部材７７の見え方を変えることができるから、変化に富んだ動作演出を行うことができる。
【００５４】
前記可動演出装置４０は、作動部材５０の第１位置で、支持部５４に当接部６２が支持されて上昇状態にある可動部材６０と、収容部５５に当接部６２が位置して下降状態にある可動部材６０とを有し、作動部材５０を第２位置にすることで、作動部材５０の第１位置で上昇状態にあった可動部材６０の当接部６２が収容部５５に位置して該可動部材６０が下降状態となると共に、作動部材５０の第１位置で下降状態にあった可動部材６０の当接部６２が支持部５４に支持されて該可動部材６０が上昇状態になる。
同様に、作動部材５０を第２位置から第１位置にすることで、作動部材５０の第２位置で上昇状態にあった可動部材６０の当接部６２が収容部５５に位置して該可動部材６０が下降状態となると共に、作動部材５０の第２位置で下降状態にあった可動部材６０の当接部６２が支持部５４に支持されて該可動部材６０が上昇状態になる。このように、可動演出装置４０は、全ての可動部材６０が上昇状態または下降状態に揃う構成ではなく、上昇状態にある可動部材６０と下降状態にある可動部材６０とが混ざっており、作動部材５０の作動により可動部材６０の上昇状態および下降状態が同期して切り替わる。このように、複数の可動部材６０をばらばらに動かすことで、変化に富んだ動作演出を行うことができる。また、支持部５４で支持される当接部６２の高さ位置を変えることで、複数の可動部材６０の動きを互いに異ならせることができる。
【００５５】
なお、前述した実施例は、以下の技術的思想が含まれる。
(付記１)
前後に重なるように配設された可動部材(60)を備えた請求項１〜６の何れか一項に記載の遊技機。
付記１の遊技機によれば、可動部材を前後に重なるように配設することで、夫々の可動部材を大型化することができる。
【００５６】
(付記２)
前記前後に重なるように配設された可動部材(60)と、該可動部材(60)の後側に配設された飾り部材(77)とは、共通する意匠形状で形成される付記１記載の遊技機。
付記２の遊技機によれば、前後の可動部材が停止しているときに、前後の可動部材と装飾部材とを一体化することができ、可動部材を動かしたときの意外性を向上することができる。
【００５７】
(付記３)
前記可動部材(60)は、前記当接面(52a,53a)の収容部(55)に位置する前記当接部(62)が該当接面(52a,53a)から離間するように配設された請求項１〜６、付記１、２の何れか一項に記載の遊技機。
付記３の遊技機によれば、当接部が収容部に位置している際に、作動部材の作動により可動部材が変位することを防止できる。
【００５８】
(変更例)
なお、本発明に係る遊技機の構成としては、前述した実施例に示したものに限らず、種々の変更が可能で、例えば以下のものを採用可能である。
(１)作動部材の作動方向は、左右方向に限られず、前後方向やその他の方向であってもよい。また作動部材は、直線的な往復移動に限られず、回転や揺動などの他の動作を行うものであってもよい。
(２)可動部材の付勢を、ばねやゴムなどの弾性部材で行ってもよい。弾性部材による可動部材の付勢方向は、下方に限られず、上方や左右や前後方向等の適宜に設定し得る。
(３)可動部材は、多列に配置する構成に限られず、１列であってもよい。
(４)動作部材は省略することができる。
(５)作動部材を作動する駆動手段としては、モータに限られず、ソレノイドやその他の手段を用いることができる。
(６)遊技機としては、パチンコ機に限られるものではなく、アレンジボール機やパチンコ球を用いたスロットマシン等、その他各種の遊技機であってもよい。
【符号の説明】
【００５９】
２０ 遊技盤
２０ａ 遊技領域
４０ 可動演出装置
４６ 前ベース体(ベース体)
４６ｃ 支持開口(ガイド部)
５０ 作動部材
５２ａ 前部当接面(当接面)
５３ａ 後部当接面
５４ 支持部
５５ 収容部
６０ 可動部材
６２ 当接部
６５ 支持軸部
Ｍ 作動モータ(駆動手段)
【図１】
2015008970.tif 000003
【図２】
2015008970.tif 000004
【図３】
2015008970.tif 000005
【図４】
2015008970.tif 000006
【図５】
2015008970.tif 000007
【図６】
2015008970.tif 000008
【図７】
2015008970.tif 000009
【図８】
2015008970.tif 000010
【図９】
2015008970.tif 000011
【図１０】
2015008970.tif 000012
【図１１】
2015008970.tif 000013
【図１２】
2015008970.tif 000014
【図１３】
2015008970.tif 000015
【図１４】
2015008970.tif 000016